(57)【要約】
【課題】変動情報のみを安価に入れ替えることができ、看板の維持・管理に要する費用を大幅に節減することを可能とする。
【解決手段】板状部材から形成された本体表示板１に、固定情報２ａを表示した固定表示部２に隣接して変動情報３ａを取替え可能に表示した変動表示部３を配置し、その変動表示部３に、前記変動情報３ａを記載したシート状部材３ｂを固定用枠体３ｃにより着脱可能に保持することによって、変動情報３ａを入れ替える際にあたって、変動表示部３の固定用枠体３ｃを開放操作することにより、変動情報３ａを記載されたシート状部材３ｂの取替えを容易にするとともに、固定表示部２にはなんら手を加える必要をなくし、新たな看板を準備しなくても必要な情報のみを容易かつ安価に取替えられるように構成したもの。
【選択図】図１
0003101448.tif 000002
【実用新案登録請求の範囲】
【請求項１】
板状部材から形成された本体表示板に、入れ替えが行われる変動情報が取替え可能に表示された変動表示部と、入替えが行われない固定情報が不動状態にて表示された固定表示部と、が隣接するように配置され、
前記変動表示部には、前記変動情報が記載されたシート状部材を着脱可能に保持する固定用枠体が設けられていることを特徴とする看板。
【請求項２】
前記固定用枠体は、前記シート状部材の周端縁部に沿って挟持または開放するように構成された細長帯状のクリップ部材から形成されていることを特徴とする請求項１記載の看板。
【請求項３】
前記クリップ部材は、前記本体表示板に固定されたクリップ基板と、
そのクリップ基板に対して開閉可能に枢着され、前記シート状部材を挟持または開放するように揺動する押圧板と、
上記押圧板を、前記シート状部材の挟持位置または開放位置のいずれか一方に向かって選択的に付勢する弾性部材と、
を有していることを特徴とする請求項２記載の看板。
【考案の詳細な説明】
【技術分野】
【０００１】
本考案は、本体表示板に固定情報および変動情報の双方を表示するように構成された看板に関するものである。
【背景技術】
【０００２】
一般に、板状部材から形成された本体表示板を備えた看板が広く用いられているが、その本体表示板には、各種情報を記載した紙などのシート状部材が貼り付けられたり、本体表示板に直接記載されることによって各種情報の表示が行われている。このように本体表示板に表示される各種情報には、道案内などのようなほとんど入替えが行われない固定情報と、表示する時期に対応した一時的なキャンペーンなどのように入れ替えが頻繁に行われる変動情報とがある。
【０００３】
ところが、このような一般に用いられている看板において、入替えが行われない固定情報と、入れ替えが行われる変動情報とが、同一の本体表示板に表示される場合を考えてみると、変動情報の入れ替えが行われる際に、本来は入れ替えを行わなくて良い固定情報まで一緒に入れ替えねばならなくなっている。つまり、看板を一部においても新しくしようとすると、看板の全体を新たに製作しなければならず、そのため看板の維持・管理費用が多大になっていることがある。
【考案の開示】
【考案が解決しようとする課題】
【０００４】
そこで本考案は、固定情報と変動情報とを同一の本体表示板に表示した場合において、変動情報のみを安価に入れ替えることができるようにした看板を提供することを目的とする。
【課題を解決するための手段】
【０００５】
上記目的を達成するため、本考案の請求項１にかかる看板では、板状部材から形成された本体表示板に、入れ替えが行われる変動情報が取替え可能に表示された変動表示部と、入替えが行われない固定情報が不動状態にて表示された固定表示部と、が隣接するように配置され、前記変動表示部には、前記変動情報が記載されたシート状部材を着脱可能に保持する固定用枠体が設けられている。
【０００６】
このような構成を有する請求項１にかかる看板によれば、変動情報を入れ替える際にあたって、変動表示部の固定用枠体を開放操作することにより、変動情報を記載されたシート状部材が容易に取替えられるとともに、固定表示部にはなんら手を加える必要がないために、新たな看板を準備しなくても必要な情報のみを容易かつ安価に取替えられるようになっている。
【０００７】
また、本発明の請求項２または請求項３にかかる看板では、上記請求項１における固定用枠体が、シート状部材の周端縁部に沿って挟持または開放するように構成された細長帯状のクリップ部材から形成されている。
【０００８】
このような構成を有する請求項２または請求項３にかかる看板によれば、変動表示部の固定用枠体に対する開放または閉塞の各操作が、クリップ状の操作によって容易かつ正確に行われるようになっている。
【考案の効果】
【０００９】
以上のように本考案にかかる看板は、板状部材から形成された本体表示板に、固定情報を表示した固定表示部に隣接して変動情報を取替え可能に表示した変動表示部を配置し、その変動表示部に、前記変動情報を記載したシート状部材を固定用枠体により着脱可能に保持することによって、変動情報を入れ替える際にあたって、変動表示部の固定用枠体を開放操作することにより、変動情報を記載されたシート状部材の取替えを容易にするとともに、固定表示部にはなんら手を加える必要をなくし、新たな看板を準備しなくても必要な情報のみを容易かつ安価に取替えられるように構成したものであるから、変動情報のみを安価に入れ替えることができ、看板の維持・管理に要する費用を大幅に節減することができる。
【考案を実施するための最良の形態】
【００１０】
以下、本考案の一実施形態を、図面に基づいて詳細に説明する。
まず、図１に示されている実施形態では、板状部材から形成された本体表示板１が、図示を省略した支持構造体に対して可視状態となるように取り付けられている。この本体表示板１には、ほとんど入替えが行われない固定表示部２と、入れ替えが任意の頻度で行われる変動表示部３とが、略水平方向に隣接して配置されている。
【００１１】
そして、上述した固定表示部２には、道案内などのような固定情報２ａが、前記本体表示板１の表面上に直接記載されることによって不動状態にて表示されている。なお、このときの固定情報２ａは、紙などのシー状部材に記載して固定表示部２上に貼り付けるようにしてもよい。
【００１２】
また、上述した変動表示部３には、その時期に対応した一時的なキャンペーン案内のような変動情報３ａが、紙などのようなシート状部材３ｂ上に記載されて取替え可能に表示されている。すなわち、上記変動情報３ａが記載されたシート状部材３ｂは、当該シート状部材３ｂの周端縁部に沿って配置された４体の固定用枠体３ｃ，３ｃ，３ｃ，３ｃを介して着脱可能に保持されている。これらの各固定用枠体３ｃは、細長帯状のクリップ部材からそれぞれ形成されており、上記シート状部材３ｂの周端縁部を取り囲む矩形状をなすようにして上記本体表示板１上に取り付けられている。
【００１３】
すなわち、それらの各固定用枠体３ｃを構成しているクリップ部材は、例えば図２に示されているような断面形状をなすようにしてアルミ素材等を押出成形することによって形成されていて、例えば図２に示されているように、上述した本体表示板１の外周縁部に沿ってネジ止めや接着などにより固定されたクリップ基板３ｃ１を有している。このクリップ基板３ｃ１において、上記本体表示板１の外周縁に位置する基部側（図２の上端部側）には、横断面略円形状をなす軸部３ｃ２が、前方（図２の右方）に向かって突出するように設けられている。この軸部３ｃ２は、上記本体表示板１の外周縁部に沿って略平行に延在するように配置されている。
【００１４】
さらに、そのクリップ基板３ｃ１に設けられた軸部３ｃ２には、押圧板３ｃ３の基部側（図２の上端縁側）に形成された軸受部３ｃ４が回転可能に枢着されており、上記クリップ基板３ｃ１の軸部３ｃ２を中心として当該押圧板３ｃ３が、略９０度の範囲で回動操作されるようになっている。つまり、上記押圧板３ｃ３は、図１および図２で示されているように、前記クリップ基板３ｃ１側に向かって近接回動された閉塞位置と、図３および図４で示されているように、前記クリップ基板３ｃ１側から離間回動された開放位置との間で開閉される構成になされている。
【００１５】
さらに、その押圧板３ｃ３の回動側（図２の下端側）縁部には、板状の挟持部３ｃ５が形成されており、上述したように押圧板３ｃ３が図１および図２で示されている閉塞位置に閉じられている場合において、上記挟持部３ｃ５が、前述したシート状部材３ｂの外周縁部分に外方側から当接する構成になされている。そして、この押圧板３ｃ３に設けられた挟持部３ｃ５は、弾性部材としての板バネ３ｃ６の付勢力によって、上記シート状部材３ｂ側に向かって圧接され、上述したクリップ基板３ｃ１との間にシート状部材３ｂの周端縁部が挟持されるようになっている。
【００１６】
すわなち、上記押圧板３ｃ３に設けられた挟持部３ｃ５の内部側には、上述した板バネ３ｃ６の一端部（図示下端部）が嵌め込まれており、その板バネ３ｃ６の他端部（図示上端部）は、上述したクリップ基板３ｃ１の基部側（図２の上端部側）に形成されたバネ受け３ｃ７内に受けられている。この板バネ３ｃ６は、略「く」の字状に湾曲させられて圧縮された状態で取り付けられていて、上述したクリップ基板３ｃ１に対して前記押圧板３ｃ３を常時外方側に向かって押し出すように付勢している。
【００１７】
そして、その板バネ３ｃ５の外方側に向かう弾性付勢力によって、上述した押圧板３ｃ３が、図１および図２で示されている閉塞位置または図３および図４で示されている開放位置のいずれかに選択的に押し付けられ留ようになっている。より具体的には、図１および図２のように閉塞位置にある押圧板３ｃ３を、上記板バネ３ｃ５の付勢力に抗して図３および図４のように開放操作させた場合には、回動途中において当該板バネ３ｃ５の付勢方向の境界点であるバネ死点を越えた段階で上記押圧板３ｃ３が開放位置に向かって付勢される。一方、図３および図４のように開放位置にある押圧板３ｃ３を、上記板バネ３ｃ５の付勢力に抗して図１および図２のように閉塞操作させた場合には、回動途中において当該板バネ３ｃ５の付勢方向の境界点であるバネ死点を越えた段階で上記押圧板３ｃ３が閉塞位置に向かって付勢されるようになっている。
【００１８】
このように本実施形態にかかる看板においては、新たなキャンペーンなどによって変動情報３ａが記載されたシート状部材３ｂが入れ替える際には、そのシート状部材３ｂを保持している変動表示部３の固定用枠体３ｃを開放操作することによって、上記変動情報３ａを記載されたシート状部材３ｂが容易に取替えられるようになっている。そして、そのとき、固定表示部２にはなんら手を加える必要がないため、新たな看板を準備しなくても必要な情報のみが容易かつ安価に取替えられる。
【００１９】
また、本実施形態において採用した固定用枠体３ｃは、シート状部材３ｂの周端縁部を挟持または開放するクリップ部材から形成されていることから、変動表示部３の固定用枠体３ｃに対する開放または閉塞の各操作が、クリップ状の操作によって容易かつ正確に行われるようになっている。
【００２０】
以上、本発明者によってなされた発明の実施形態を具体的に説明したが、本発明は上記実施形態に限定されるものではなく、その要旨を逸脱しない範囲で種々変形可能であるというのはいうまでもない。
【００２１】
例えば、上述した実施形態では、変動表示部２の四方に配置された固定用枠体３ｃの全体を開閉可能に構成しているが、シート状部材３ｂが着脱可能であれば、４体の固定用枠体３ｃのうちの一部のみを開閉可能に構成したりすることもできる。
【００２２】
また、本体表示板１は、上述した実施形態のような矩形状をなすものに限定されることはなく、さらに固定用枠体３ｃも、上述した実施形態のようなクリップ部材に限定されるものではない。
【００２３】
さらにまた、上述した実施形態では、変動表示部２と変動表示部３とを横方向に隣接させているが、縦方向などのように他の方向に隣接させて配置することも可能であり、それら変動表示部２および変動表示部３の数も、上述した実施形態のような１体ずつに限定されるものではなく、それぞれを複数体ずつを配置することも可能である。
【産業上の利用可能性】
【００２４】
以上述べたように本発明は、野立て用の看板などを始めとして、多種多様な看板に対して広く採用することが可能である。
【図面の簡単な説明】
【００２５】
【図１】本考案の一実施形態における看板の使用状態を表した外観斜視説明図である。
【図２】図１に表した看板に用いられている固定用枠体の閉塞状態の詳細構造を表した縦断面説明図である。
【図３】図１に表した看板の変動表示部を取替える状態を表した外観斜視説明図である。
【図４】図３に表した看板の固定用枠体の解放状態の詳細構造を表した縦断面説明図である。
【符号の説明】
【００２６】
１  本体表示板
２  固定表示部
３  変動表示部
２ａ  固定情報
３ａ  変動情報
３ｂ  シート状部材
３ｃ  固定用枠体
３ｃ１  クリップ基板
３ｃ２  軸部
３ｃ３  押圧板
３ｃ４  軸受部
３ｃ５  挟持部
３ｃ６  板バネ
３ｃ７  バネ受け
【図１】
0003101448.tif 000003
【図２】
0003101448.tif 000004
【図３】
0003101448.tif 000005
【図４】
0003101448.tif 000006